(57)【要約】 【課題】  電源供給ができない場所であっても確実に糠を回収することができる糠回収装置を提供する。【解決手段】  粉末状の糠を吸引する吸引部１１と、吸引部１１から吸引された糠を収容する収容部１２とを備え、車両２６に車載可能に構成された糠回収装置１０において、吸引部１１は、吸引部１１を駆動する発電部１３を有している。【選択図】  図１
0003208424.tif 000002
【実用新案登録請求の範囲】
【請求項１】
粉末状の糠を吸引する吸引部と、前記吸引部から吸引された糠を収容する収容部とを備え、車両に車載可能に構成された糠回収装置において、前記吸引部は、前記吸引部を駆動する発電部を有することを特徴とする糠回収装置。
【請求項２】
前記吸引部は、糠を吸引する吸引側管部と、吸引した前記糠を前記収容部へと排出する排出側管部と、前記吸引側管部から前記排出側管部へと空気と共に前記糠を送り出す送風モーター部とを備え、前記送風モーター部は、前記発電部により駆動することを特徴とする請求項１記載の糠回収装置。
【請求項３】
前記吸引側管部には、外気を取り込んで吸引される糠の量を調節しうる調節孔部が設けられていることを特徴とする請求項２記載の糠回収装置。
【請求項４】
前記収容部は袋状に形成された複数の収容体により構成されていることを特徴とする請求項１〜３のいずれか１項に記載の糠回収装置。
【請求項５】
前記排出側管部の一端部には糠と空気とを分離する粉末分離機が取付けられると共に、前記車両には前記粉末分離機を移動可能に支持する支持部が設けられ、前記粉末分離機は前記支持部に支持された状態で一の収容体に糠を導入し、前記一の収容体が糠で充填された場合には、前記粉末分離機を移動し、他の収容体に糠を導入できるように構成されていることを特徴とする請求項４記載の糠回収装置。
【考案の詳細な説明】
【技術分野】
【０００１】
本考案は、コイン精米機で発生する糠を回収する装置に関するものである。
【背景技術】
【０００２】
従来より、玄米を精米するための精米機として、有料で使用される、いわゆるコイン精米機が道路沿いに設置されている。
精米機にあっては、玄米の精米によって白米と共に、副産物として糠が生成される。そのため、多くのコイン精米機にあっては、糠の買い取り業者がコイン精米機の設置場所を巡って、糠を回収するということが行われている。
しかしながら、従来のコイン精米機にあっては、袋に溜まった糠をスコップ等により人の手で別の袋に詰めて回収する必要があり、煩雑な作業となっていた。
【０００３】
前記問題を解消するため、例えば、特許文献１には、粉末状の糠を回収するものであって、ファンと、粉末分離機と、昇降機と、収容体と、フレームを備え、ファンが、糠を吸引して粉末分離機に導くものであり、昇降機が、粉末分離機で空気と分離された糠を持ち上げて、収容体へ投入するものであり、フレームが、直方体形に組んだものであって、ファンと粉末分離機と昇降機と収容体が、フレームと一体になるようにしてフレームの内側に納めてあり、全体がフレームごと車載可能であることを特徴とする糠回収装置が記載されている。
【０００４】
しかしながら、特許文献１にあっては、電源を備えておらず、操作盤に電源コードを設けてあるにすぎないため、コイン精米機に電源コードが接続できない場合には、糠回収装置を使用できないという不具合があった。
【先行技術文献】
【特許文献】
【０００５】
【特許文献１】特開第２０１６−３０２３６号公報
【考案の概要】
【考案が解決しようとする課題】
【０００６】
本考案は、以上のような従来からの不具合を解消するためのものであって、その課題は、電源供給ができない場所であっても確実に糠を回収することができる糠回収装置を提供することにある。
【課題を解決するための手段】
【０００７】
前記課題を解決するために、請求項１記載の考案にあっては、粉末状の糠を吸引する吸引部と、前記吸引部から吸引された糠を収容する収容部とを備え、車両に車載可能に構成された糠回収装置において、前記吸引部は、前記吸引部を駆動する発電部を有することを特徴とする。
【０００８】
従って、前記発電部によって前記吸引部が駆動され、粉末状の糠が前記吸引部によって吸引され、前記糠が前記収容部に収容される。
【０００９】
請求項２記載の考案にあっては、前記吸引部は、糠を吸引する吸引側管部と、吸引した前記糠を前記収容部へと排出する排出側管部と、前記吸引側管部から前記排出側管部へと空気と共に前記糠を送り出す送風モーター部とを備え、前記送風モーター部は、前記発電部により駆動することを特徴とする。
【００１０】
従って、前記発電部によって前記送風モーター部が駆動され、前記送風モーター部によって空気と糠とが前記吸引側管部から前記排出側管部へと送り出され、前記糠が前記収容部に収容される。
【００１１】
請求項３記載の考案にあっては、前記吸引側管部には、外気を取り込んで吸引される糠の量を調節しうる調節孔部が設けられていることを特徴とする。
【００１２】
従って、前記調節孔部によって、前記吸引側管部から吸引される糠の量が調節される。
【００１３】
請求項４記載の考案にあっては、前記収容部は袋状に形成された複数の収容体により構成されていることを特徴とする。
【００１４】
請求項５記載の考案にあっては、前記排出側管部の一端部には糠と空気とを分離する粉末分離機が取付けられると共に、前記車両には前記粉末分離機を移動可能に支持する支持部が設けられ、前記粉末分離機は前記支持部に支持された状態で一の収容体に糠を導入し、前記一の収容体が糠で充填された場合には、前記粉末分離機を移動し、他の収容体に糠を導入できるように構成されていることを特徴とする。
【００１５】
従って、前記粉末分離機によって、前記排出側管部から排出された糠と空気とが分離され、糠のみが前記収容体に導入される。また、前記粉末分離機は前記支持部に移動可能に支持され、前記一の収容体が糠で充填された場合には、前記粉末分離機を移動し、前記他の収容体に糠が導入される。
【考案の効果】
【００１６】
請求項１〜５記載の糠回収装置にあっては、前記発電部によって前記吸引部が駆動され、粉末状の糠が前記吸引部によって吸引され、前記糠が前記収容部に収容されるので、例えば、コイン精米機において糠を回収する場合において、コイン精米機に電源コードが接続できない場合のように、電源供給ができない場所であっても確実に糠を回収することができる糠回収装置を提供することができる。
特に、請求項２記載の糠回収装置にあっては、前記発電部によって前記送風モーター部が駆動され、前記送風モーター部によって空気と糠とが前記吸引側管部から前記排出側管部へと送り出され、前記糠が前記収容部に収容されるので、簡単な構造で糠を回収することができる。
【００１７】
請求項３記載の糠回収装置にあっては、前記調節孔部によって、前記吸引側管部から吸引される糠の量が調節されるので、例えば、前記送風モーター部に糠が多量に導入され、前記送風モーター部に糠が詰まるといった事態を防止することができる。
【００１８】
請求項４記載の糠回収装置にあっては、前記収容部は袋状に形成された複数の収容体により構成されているので、糠を前記複数の収容体に小分けして充填することができる。また、前記収容体は袋状に形成されているので、前記収容体を使用しない場合には、コンパクトに折り畳んで収納することもできる。
【００１９】
請求項５記載の糠回収装置にあっては、前記粉末分離機によって、前記排出側管部から排出された糠と空気とが分離され、糠のみが前記収容体に導入されるので、前記収容体に効率よく糠を充填することができる。
また、請求項５に記載の糠回収装置にあっては、前記粉末分離機は前記支持部に移動可能に支持され、前記一の収容体が糠で充填された場合には、前記粉末分離機を移動し、前記他の収容体に糠が導入されるので、糠で充填された重量の大きい収容体を移動させることなく、前記粉末分離機の移動のみで他の収容体へと糠を充填することができる。
【図面の簡単な説明】
【００２０】
【図１】図１は、本考案に係る糠回収装置の一実施形態において、糠回収装置を車載した状態を示す斜視図である。
【考案を実施するための形態】
【００２１】
以下、本考案の一実施の形態に係る糠回収装置を図面を参照して詳細に説明する。
【００２２】
図１に示すように、本実施の形態に係る糠回収装置１０は、粉末状の糠を吸引する吸引部１１と、吸引部１１から吸引された糠を収容する収容部１２とを備え、車両２６に車載可能に構成されている。
また、図１に示すように、本実施の形態に係る吸引部１１は、吸引部１１を駆動する発電部１３を有している。図示しないが、本実施の形態に係る発電部１３は、ガソリン、軽油等の燃料によって駆動する公知の発電機を採用している。
【００２３】
また、図１に示すように、本実施の形態に係る吸引部１１は、糠を吸引する吸引側管部１４と、吸引した糠を収容部１２へと排出する排出側管部１５と、吸引側管部１４から排出側管部１５へと空気と共に糠を送り出す送風モーター部１６とを備え、送風モーター部１６は、発電部１３により駆動するように構成されている。
本実施の形態に係る吸引側管部１４及び排出側管部１５は、合成樹脂製であって円筒状に形成されている。また、図示しないが、本実施の形態に係る送風モーター部１６は、一般にコイン精米機に使用されている送風モーターと同一の構造を有し、容量が４倍の送風モーターを採用している。
【００２４】
また、図１に示すように、本実施の形態に係る吸引側管部１４には、外気を取り込んで吸引される糠の量を調節しうる調節孔部１７、１７・・・が設けられている。図１に示すように、本実施の形態に係る調節孔部１７、１７・・・は、円筒状に吸引側管部１４の周面部外方へと延設されている。
【００２５】
また、図１に示すように、本実施の形態に係る収容部１２は袋状に形成された複数の収容体１８ａ、１８ｂ、１８ｃ、１８ｄ、１８ｅにより構成されている。図示しないが、本実施の形態に係る収容体１８ａ、１８ｂ・・・は、公知の合成繊維製の糠袋（フレキシブルコンテナバッグ）である。
【００２６】
図１に示すように、本実施の形態に係る排出側管部１５の一端部１９には糠と空気とを分離する粉末分離機２０が取付けられている。
また、図１に示すように、本実施の形態に係る車両には粉末分離機２０を移動可能に支持する支持部２１が設けられ、粉末分離機２０は支持部２１に支持された状態で収容体１８ａに糠を導入し、収容体１８ａが糠で充填された場合には、粉末分離機２０を移動し、収容体１８ｂに糠を導入できるように構成されている。
図１に示すように、本実施の形態に係る支持部２１は、全体が金属製の円柱状棒材であって、車両２６の荷台の運転席後方に立設された基部２３と、基部２３の一端部からＬ字状に折曲して形成された支持部本体部２４とを有し、基部２３は、支持部本体部２４が車両２６の荷台の水平方向に沿って回動するように、車両２６の荷台の運転席後方に回転可能に固定されている。また、図１に示すように、本実施の形態に係る粉末分離機２０は、上端部２５に設けられた環状部材２２が支持部２１に挿通され、支持部２１上を移動可能に懸架されている。
【００２７】
以下、本実施の形態に係る糠回収装置１０の作用について、添付図面を参照して説明する。
図１に示すように、本実施の形態に係る糠回収装置１０は車両２６に車載された状態で、コイン精米機の設置場所に移動して使用する。より具体的には、コイン精米機の機械室２７（又は糠室）に設置された糠袋２８（フレキシブルコンテナバッグ）に対して、吸引部１１の吸引側管部１４を差し込む。
また、図１に示すように、収容部１２を構成する収容体１８ａの上部に、排出側管部１５の一端部１９に取り付けられた粉末分離機２０を配置する。
本実施の形態に係る糠回収装置１０の発電部１３のスイッチを入れることで、発電部１３が稼働し、発電部１３によって送風モーター部１６が駆動する。その後、送風モーター部１６は、吸引側管部１４から空気と共に糠を吸い込み、排出側管部１５へと空気及び糠を送り出す。
図１に示すように、本実施の形態に係る排出側管部１５の一端部１９に取り付けられた粉末分離機２０によって、糠と空気とが分離され、糠が収容体１８ａに導入される。
また、図１に示すように、収容体１８ａが糠で充填された場合には、粉末分離機２０を、支持部２１を介して移動させ、収容体１８ｂの上部に粉末分離機２０を配置する。その結果、粉末分離機２０によって、糠と空気とが分離され、糠が収容体１８ｂに導入される。
この後、収容体１８ｂが糠で充填された場合には、前記と同様に粉末分離機２０を、支持部２１を介して移動させ、収容体１８ｃの上部に粉末分離機２０を配置し、以降順次収容体１８ｄ、１８ｅを糠で充填していくことができる。
【００２８】
以上より、図１に示すように、本実施の形態に係る糠回収装置１０にあっては、発電部１３によって吸引部１１が駆動され、粉末状の糠が吸引部１１によって吸引され、糠が収容部１２に収容されるので、例えば、コイン精米機において糠を回収する場合において、コイン精米機に電源コードが接続できない場合のように、電源供給ができない場所であっても確実に糠を回収することができる糠回収装置を提供することができる。
【００２９】
また、図１に示すように、本実施の形態に係る糠回収装置１０にあっては、発電部１３によって送風モーター部１６が駆動され、送風モーター部１６によって空気と糠とが吸引側管部１４から排出側管部１５へと送り出され、糠が収容部１２に収容されるので、簡単な構造で糠を回収することができる。
【００３０】
図１に示すように、本実施の形態に係る糠回収装置１０にあっては、調節孔部１７によって、吸引側管部１４から吸引される糠の量が調節されるので、例えば、送風モーター部１６に糠が多量に導入され、送風モーター部１６に糠が詰まるといった事態を防止することができる。
【００３１】
図１に示すように、本実施の形態に係る糠回収装置１０にあっては、収容部１２は袋状に形成された複数の収容体１８ａ、１８ｂ・・・により構成されているので、糠を複数の収容体１８ａ、１８ｂ・・・に小分けして充填することができる。また、本実施の形態にかかる収容体１８ａ、１８ｂ・・・は袋状に形成されているので、収容体１８ａ、１８ｂ・・・を使用しない場合には、コンパクトに折り畳んで収納することもできる。
【００３２】
図１に示すように、本実施の形態に係る糠回収装置１０にあっては、粉末分離機２０によって、排出側管部１５から排出された糠と空気とが分離され、糠のみが収容体１８ａ、１８ｂ・・・に導入されるので、収容体１８ａ、１８ｂ・・・に効率よく糠を充填することができる。
また、図１に示すように、本実施の形態に係る糠回収装置１０にあっては、粉末分離機２０は支持部２１に移動可能に支持され、収容体１８ａが糠で充填された場合には、粉末分離機２０を移動し、収容体１８ｂに糠が導入されるので、糠で充填された重量の大きい収容体を移動させることなく、粉末分離機２０の移動のみで他の収容体へと糠を充填することができる。
【００３３】
本実施の形態に係る送風モーター部１６は、一般にコイン精米機に使用されている送風モーターと同一の構造を有し、容量が４倍の送風モーターを採用している場合を例に説明したが、前記構成に限定されない。
また、本実施の形態に係る支持部２１は、全体が金属製の円柱状棒材であって、車両２６の荷台の運転席後方に立設された基部２３と、基部２３の一端部からＬ字状に折曲して形成された支持部本体部２４とを有し、基部２３は、支持部本体部２４が車両２６の荷台の水平方向に沿って回動するように、車両２６の荷台の運転席後方に回転可能に固定されている場合を例に説明したが、前記構成に限定されず、例えば、幌車の天井に固定されたフック等を支持部とし、粉末分離機を移動可能に設けることもできる。
【産業上の利用可能性】
【００３４】
本考案に係る糠回収装置は、糠の回収に広く使用することができ、産業上利用可能性を有している。
【符号の説明】
【００３５】
１０：糠回収装置
１１：吸引部
１２：収容部
１３：発電部
１４：吸引側管部
１５：排出側管部
１６：送風モーター部
１７：調節孔部
１８ａ、１８ｂ・・・：収容体
１９：一端部
２０：粉末分離機
２１：支持部
２２：環状部材
２３：基部
２４：支持部本体部
２５：粉末分離機の上端部
２６：車両
２７：コイン精米機の機械室
２８：糠袋
【図１】
0003208424.tif 000003
【手続補正書】
【提出日】平成28年11月8日(2016.11.8)
【手続補正１】
【補正対象書類名】実用新案登録請求の範囲
【補正対象項目名】請求項５
【補正方法】変更
【補正の内容】
【請求項５】
前記排出側管部の一端部には糠と空気とを分離する粉末分離機が取付けられると共に、前記車両には前記粉末分離機を移動可能に支持する支持部が設けられ、前記粉末分離機は前記支持部に支持された状態で一の収容体に糠を導入し、前記一の収容体が糠で充填された場合には、前記粉末分離機を移動し、他の収容体に糠を導入できるように構成されていることを特徴とする請求項２記載の糠回収装置。